(57)【要約】【課題】鈎部材に閉止部材を旋回可能に連結するピンがなす環の外側へ露出せず、かつ、閉止部材を旋回可能に付勢させるばねの安定性を高めることができるなす環の提供。【解決手段】鈎部材２と、取付環部材３と、閉止部材４とから構成される。鈎部材２と閉止部材４との対向内面間に圧縮コイルばね２５が介装される。閉止部材４は、その連結部１６が鈎部材２の連結部内に遊嵌され、前記両連結部を縦貫する保持ピン２４によってなす環１の外側への抜脱が阻止される。【選択図】図３
2006042912.tif 000002
【特許請求の範囲】
【請求項１】
縦横方向を有し、鈎部材と、取付環部材と、閉止部材とから構成され、前記鈎部材が、前記縦方向における該部材の端部に第１連結部と、前記第１連結部から延びて湾曲する鈎部と、前記鈎部の先端内面に第１係合部とを有し、前記取付環部材が、その中央部に前記縦方向における前記第１連結部の端部と相対的に回動可能かつ抜脱不能に連結する第２連結部を有し、前記閉止部材が、前記横方向における前記第１連結部の側部にばね付勢下に旋回可能に連結する第３連結部と、前記第１係合部に前記ばね付勢下に係合する第２係合部とを有し、前記第１及び第２係合部の係合によって前記鈎部が閉止される、袋物用なす環において、
前記閉止部材の前記第３連結部が、前記横方向における前記鈎部材の内側に向かって屈曲していて前記鈎部材の前記横方向における前記第１連結部の側部に開口する凹部に前記縦方向へ移動可能に嵌入され、前記縦方向における前記第１連結部の第１透孔を貫通して前記縦方向における前記第１連結部の端面に係合した状態で前記縦方向に垂下する保持ピンが前記第３連結部の前記横方向へ長い第２透孔に沿って前記閉止部材が移動可能に挿入されることで、前記閉止部材が前記鈎部材に前記保持ピンを中心として前記鈎部材に対して旋回可能に保持され前記第１連結部の近傍における前記鈎部材の内面と該内面に対向する前記閉止部材の内面との間に前記付勢ばねとしての圧縮コイルばねが介在保持されることで、前記圧縮コイルばねの付勢下に前記第２係合部が前記第１係合部に係合することを特徴とする前記なす環。
【請求項２】
前記縦方向における前記第１連結部の端面に対する前記保持ピンの係合は、前記保持ピンの頂面に形成された鍔部によってなされている請求項１に記載のなす環。
【発明の詳細な説明】
【技術分野】
【０００１】
本発明は、かばん、バッグなどの袋物に、例えば、肩掛けベルトを連結するための、いわゆるなす環に関するものである。
【背景技術】
【０００２】
一般に、袋物用のなす環は、鈎部材と、これに回動可能に連結された取付環部材と、ばね付勢下に旋回可能に連結された閉止部材とから構成されている。前記閉止部材は、前記鈎部材にその横方向へ貫通する保持ピンで保持されるとともに、前記ばねとしては、ねじりコイルばねが装着されている（特許文献１、非特許文献１参照）。
【０００３】
特に、非特許文献１について述べると、これは図４に示してあるように、なす環１０１は、鈎部材１０２に取付環部材１０３を回動可能かつ抜脱不能に連結し、鈎部材１０２に閉止部材１０４を鈎部材１０２にその横方向に貫通する支持ピン１０５で旋回可能に支持して連結するとともに、支持ピン１０５で支持するねじりコイルばね１０６の一方のアーム１０６ａを鈎部材１０２の内面に、かつ、これに対向する閉止部材１０４の内面に他方のアーム１０６ｂを圧接することで、閉止部材１０４で鈎部材１０２を開放可能に閉止するように構成されている。
【特許文献１】登録実用新案第３０３３９７５号公報
【非特許文献１】図４に示すなす環
【発明の開示】
【発明が解決しようとする課題】
【０００４】
特許文献１及び非特許文献１に開示のなす環では、鈎部材に閉止部材を旋回可能に支持して連結するのに、それらを横方向に貫通する支持ピンを使用するので、前記支持ピンの両端部が鈎部材の外面に露出する。このように露出すると、鈎部材の外面に、例えば、ハウスマーク、商標、装飾絵図などの表示を刻設することが困難になり、かりにそうではないとしても、その表示を明確に現すことができない。
【０００５】
また、特許文献１及び非特許文献１に開示のなす環では、閉止部材を旋回可能に付勢させるのに、ねじりコイルばねを使用するので、閉止部材の旋回頻度によっては金属疲労で折損したりばね作用が減少したり、さらには、なす環の内部における装着安定性が低下し、鈎部材と閉止部材との両係合部を互いに確実に係合させることができず、そのため、袋物の取付環部材に対する連結が不用意に解かれたりすることがある。
【０００６】
本発明は、前述のような従来技術の欠点を比較的簡単な手段で解決することを課題とする。
【課題を解決するための手段】
【０００７】
本発明は、縦横方向を有し、鈎部材と、取付環部材と、閉止部材とから構成され、前記鈎部材が、前記縦方向における該部材の端部に第１連結部と、前記第１連結部から延びて湾曲する鈎部と、前記鈎部の先端内面に第１係合部とを有し、前記取付環部材が、その中央部に前記縦方向における前記第１連結部の端部と相対的に回動可能かつ抜脱不能に連結する第２連結部を有し、前記閉止部材が、前記横方向における前記第１連結部の側部にばね付勢下に旋回可能に連結する第３連結部と、前記第１係合部に前記ばね付勢下に係合する第２係合部とを有し、前記第１及び第２係合部の係合によって前記鈎部が閉止される、袋物用なす環を改良することにある。
【０００８】
前記改良をなすための本発明は、前記閉止部材の前記第３連結部が、前記横方向における前記鈎部材の内側に向かって屈曲していて前記鈎部材の前記横方向における前記第１連結部の側部に開口する凹部に前記縦方向へ移動可能に嵌入され、前記縦方向における前記第１連結部の第１透孔を貫通して前記縦方向における前記第１連結部の端面に係合した状態で前記縦方向に垂下する保持ピンが前記第３連結部の前記横方向へ長い第２透孔に沿って前記閉止部材が移動可能に挿入されることで、前記閉止部材が前記鈎部材に前記保持ピンを中心として前記鈎部材に対して旋回可能に保持され前記第１連結部の近傍における前記鈎部材の内面と該内面に対向する前記閉止部材の内面との間に前記付勢ばねとしての圧縮コイルばねが介在保持されることで、前記圧縮コイルばねの付勢下に前記第２係合部が前記第１係合部に係合することを特徴とする。
【０００９】
本発明の好ましい実施の形態においては、前記縦方向における前記第１連結部の端面に対する前記保持ピンの係合は、前記保持ピンの頂面に形成された鍔部によってなされている。この形態によれば保持ピンを鈎部材の連結部に固着することなく保持することができる。
【発明の効果】
【００１０】
本発明に係る袋物用なす環によれば、鈎部材に閉止部材を保持するための保持ピンが、鈎部材の内部をその縦方向に貫通して鈎部材の外面に露出することがないので、鈎部材の外面に、例えば、ハウスマーク、商標、装飾絵図などの表示を刻設することができる。また、閉止部材を旋回可能に付勢させるための付勢ばねとして、圧縮コイルばねを装着しているので、なす環の内部における装着安定性が高く、鈎部材と閉止部材との両係合部を互いに確実に係合させて、袋物の取付環部材に対する連結を確実に保持することができるとともに、閉止部材の旋回頻度が比較的高くなっても、圧縮コイルばねが金属疲労で折損したりばね作用が減少したりすることがない。
【発明を実施するための最良の形態】
【００１１】
図１〜図３において、本発明に係る袋物用なす環１は、金属製であって、縦横方向を有し、基本的には、鈎部材２と、取付環部材３と、閉止部材４とから構成されている。鈎部材２は、かばん、バッグなどの袋物に取付けられた取付環に離脱可能に係止される。
【００１２】
鈎部材２は、縦方向の端部６に連結部として、軸部７と、鍔部８と、これらを縦方向に貫通する透孔９とを有する。鈎部材２は、さらに、端部６から延びて湾曲する鈎部１０と、鈎部１０の先端内面に係合部１１とを有する。
【００１３】
取付環部材３は、その中央部に頂面１２が閉塞され、かつ、対向側面に開口１３が形成された円筒部１４を有する。
【００１４】
閉止部材４は、鈎部材２の側へ屈曲し、かつ、縦方向に貫通し横方向に長い透孔１５が形成された連結部１６と、閉止部材４の先端外面に係合部１７とを有する。
【００１５】
鈎部材２は、さらに、端部６の内部に横方向の側部に開口し横方向へ延びる凹部１８を有する。凹部１８の延びる方向と直角に交差する幅Ｗは、閉止部材４の連結部１６の両側面１９が凹部１８の対向内面に摺接する程度の寸法に、かつ、凹部１８の高さＨは、後述する閉止部材４の連結部１６の旋回を許容する寸法に形成されている。
【００１６】
凹部１８の下壁２０の内面とこれに対向する閉止部材４の内面とには、ばね突起２１，２２が形成されている。なす環１は、さらに、鍔部２３が形成された保持ピン２４と、圧縮コイルばね２５とを有する。
【００１７】
図３に示すように、鈎部材２の凹部１８には、閉止部材４の連結部１６が凹部１８の横方向側部の開口から縦方向へ移動可能に嵌入されている。この状態で互いに対向するばね突起２１，２２の間には、圧縮コイルばね２５が圧縮介在されている。鈎部材２の透孔９には、鍔部８の頂面から保持ピン２４が縦方向に垂下して貫通し、保持ピン２４の鍔部２３が鍔部８の頂面に係合されている。保持ピン２４は、さらに閉止部材４の連結部１６の透孔１５をも貫通しており、その貫通は、閉止部材４の連結部１６の旋回を許容する程度に遊嵌状態にされていて、閉止部材４の横方向外側への抜脱を阻止している。鈎部材２の鍔部８及び軸部７には、取付環部材３の円筒部１４が回動可能に嵌合されているとともに、鍔部８の外周縁の一部が円筒部１４の開口１３に係合され、この係合によって取付環部材３の鈎部材２からの抜脱が阻止されている。なお、この係合は、例えば、取付環部材３の前記嵌合状態で、円筒部１４の下側部をその径方向へかしめることによってなされる。
【００１８】
前述のように組み立てられたなす環１において取付環部材３は鈎部材２に対して、または鈎部材２は取付環部材３に対して、つまり、鈎部材２と取付環部材３とは相対的に、鈎部材２の軸部７を中心に回動可能である。
【００１９】
閉止部材４は、なす環１の内方へ押圧されると、圧縮コイルばね２５に抗してなす環１の内方、かつ下方へ移動しながら時計方向へ旋回する。その結果、鈎部材２の係合部１１に対して係合していた閉止部材４の係合部１７が係合部１１から離反する。したがって、その離反状態で、鈎部材２の鈎部１０を、例えば、袋物に取付けた取付環（図示せず）に係止させることができる。なす環１の内方への押圧が解かれると、閉止部材４は、圧縮コイルばね２５の圧縮復元によって反時計方向へ旋回し、係合部１１，１７が互いに係合する。
【図面の簡単な説明】
【００２０】
【図１】本発明に係る袋物用なす環の斜視図。
【図２】なす環の分解斜視図。
【図３】図１のＩＩＩ−ＩＩＩ線に沿う断面図。
【図４】従来技術に係る袋物用なす環の分解斜視図。
【符号の説明】
【００２１】
１    なす環
２    鈎部材
３    取付環部材
４    閉止部材
７    軸部（連結部）
８    鍔部（連結部）
９    透孔
１０    鈎部
１１    係合部
１３    開口（連結部）
１４    円筒部（連結部）
１５    透孔
１６    連結部
１７    係合部
１８    凹部
２４    保持ピン
２５    圧縮コイルばね
【図１】
2006042912.tif 000003
【図２】
2006042912.tif 000004
【図３】
2006042912.tif 000005
【図４】
2006042912.tif 000006